(57)【要約】【課題】  水中生物等が生息しやすいブロックを安価かつ容易に製造できる魚礁ブロックの製造方法を提供する。【解決手段】  箱状の下金網型枠１２とその上部に設けられた円筒状の上金網型枠１１とを有する型枠１０について、上金網型枠１１の上面開口部１４からコンクリートを打設し、当該コンクリートが固まる前に、当該コンクリートの表面を水で洗い流すブラッシングを行ってブロックを製造するものであり、表面を鉄等の金網で、コンクリートの表面はブラッシングで多くの凹凸形状を安価に容易に製造でき、コンクリートのアルカリ性を表面の鉄等の酸性が中和でき、水中生物の生育に適した環境を提供できる魚礁ブロックの製造方法である。【選択図】        図１
2007169989.tif 000002
【特許請求の範囲】
【請求項１】
箱状の下金網型枠とその上部に設けられた円筒状の上金網型枠とを有する型枠について、
前記上金網型枠の上面開口部からコンクリートを打設し、当該コンクリートが固まる前に、当該コンクリートの表面を水で洗い流すブラッシングを行ってブロックを製造することを特徴とする魚礁ブロックの製造方法。
【請求項２】
型枠には予め複数の金属パイプを貫通させて設けておくことを特徴とする請求項１記載の魚礁ブロックの製造方法。
【請求項３】
金属パイプは、型枠に対して上から斜め下に向かって貫通させていることを特徴とする請求項２記載の魚礁ブロックの製造方法。
【請求項４】
金属パイプは、型枠に対して水平方向に貫通させ、パイプの形状が四角筒としたことを特徴とする請求項２記載の魚礁ブロックの製造方法。
【請求項５】
コンクリートを打設する際に、型枠内に砕石を混入させ、ブラッシングで、コンクリートの表面に当該砕石を露出させることを特徴とする請求項１乃至４のいずれか記載の魚礁ブロックの製造方法。
【請求項６】
コンクリートの打設は、上金網型枠内の途中の高さまでとし、前記上金網型枠内の上部に空間を設けることを特徴とする請求項１乃至５のいずれか記載の魚礁ブロックの製造方法。
【請求項７】
上金網型枠内に、複数の鉄筋を設立させておくことを特徴とする請求項６記載の魚礁ブロックの製造方法。
【請求項８】
コンクリート打設の際に、上金網型枠の上面開口部から棒状部材を挿入して、当該コンクリートが固まる前に前記棒状部材を引き抜いて縦穴を形成し、更にブラッシングを行うことを特徴とする請求項１乃至７のいずれか記載の魚礁ブロックの製造方法。
【発明の詳細な説明】
【技術分野】
【０００１】
本発明は、河川、海岸又は魚礁等に設置されるブロックの製造方法に係り、特に、水中生物のサンゴや、海草類の胞子が着床育成し、かつ魚貝類の生息しやすい海岸や河川のブロックの製造方法に関する。
【背景技術】
【０００２】
従来の河川又は海岸に設置されるブロックは、従来技術１として、型枠内に鉄筋を配置し、その型枠内にコンクリートを打設し、養生後に脱型し、脱型したコンクリートブロックを河川又は海岸に設置するものである。
【０００３】
また、従来技術２として、有孔鉄板で形成された外郭部内にコンクリートを打設し、有孔鉄板を取り除くことなくブロックを製造する方法がある（特許文献１：特開２０００−１１０１４５号公報）。
【０００４】
【特許文献１】特開２０００−１１０１４５号公報
【発明の開示】
【発明が解決しようとする課題】
【０００５】
しかしながら、上記従来技術１では、コンクリートの表面に細かい凹凸がないため、サンゴや海草類の胞子が定着できず、また魚貝類の隠れ穴がないため、海中、水中生物の生育の創出に適さないという問題点があった。
【０００６】
また、従来技術２では、有孔鉄板によって表面に凹凸形状は形成されるものの、コンクリート部分の凹凸が十分ではなく、海草等を更に定着させるためにコンクリート部分の凹凸を簡単にしかも安価に形成するための工夫が必要となっていた。
【０００７】
例えば、上記特許文献１には、外郭部の有孔鉄板に穴をあけ、外側から紙又はプラスチックで形成された棒状のボイド差し込み、コンクリート打設後に、コンクリートが完全に固まる前に、ボイドを引き抜くことで、コンクリート表面に複数の凹凸を形成することが記載されているが、その製造方法は手間が掛かるものとなっていた。
【０００８】
本発明は上記実情に鑑みて為されたもので、水中生物等が生息しやすいブロックを安価かつ容易に製造できる魚礁ブロックの製造方法を提供することを目的とする。
【課題を解決するための手段】
【０００９】
上記従来例の問題点を解決するための本発明は、魚礁ブロックの製造方法において、箱状の下金網型枠とその上部に設けられた円筒状の上金網型枠とを有する型枠について、上金網型枠の上面開口部からコンクリートを打設し、当該コンクリートが固まる前に、当該コンクリートの表面を水で洗い流すブラッシングを行ってブロックを製造することを特徴とする。
【００１０】
本発明は、上記魚礁ブロックの製造方法において、型枠には予め複数の金属パイプを貫通させて設けておくことを特徴とする。
【００１１】
本発明は、上記魚礁ブロックの製造方法において、金属パイプが、型枠に対して上から斜め下に向かって貫通させていることを特徴とする。
【００１２】
本発明は、上記魚礁ブロックの製造方法において、金属パイプが、型枠に対して水平方向に貫通させ、パイプの形状が四角筒としたことを特徴とする。
【００１３】
本発明は、上記魚礁ブロックの製造方法において、コンクリートを打設する際に、型枠内に砕石を混入させ、ブラッシングで、コンクリートの表面に当該砕石を露出させることを特徴とする。
【００１４】
本発明は、上記魚礁ブロックの製造方法において、コンクリートの打設は、上金網型枠内の途中の高さまでとし、上金網型枠内の上部に空間を設けることを特徴とする。
【００１５】
本発明は、上記魚礁ブロックの製造方法において、コンクリート打設の際に、上金網型枠の上面開口部から棒状部材を挿入して、当該コンクリートが固まる前に棒状部材を引き抜いて縦穴を形成し、更にブラッシングを行うことを特徴とする。
【発明の効果】
【００１６】
本発明によれば、箱状の下金網型枠とその上部に設けられた円筒状の上金網型枠とを有する型枠について、上金網型枠の上面開口部からコンクリートを打設し、当該コンクリートが固まる前に、当該コンクリートの表面を水で洗い流すブラッシングを行ってブロックを製造する魚礁ブロックの製造方法としているので、表面を鉄等の金網で、コンクリートの表面はブラッシングで多くの凹凸形状を安価に容易に製造でき、コンクリートのアルカリ性を表面の鉄等の酸性が中和でき、水中生物の生育に適した環境を提供できる効果がある。
【００１７】
本発明によれば、型枠には予め複数の金属パイプを貫通させて設けておく上記魚礁ブロックの製造方法としているので、サンゴや海草類の胞子の定着を促し、魚貝類の隠れ穴を提供できる効果がある。
【００１８】
本発明によれば、金属パイプが、型枠に対して上から斜め下に向かって貫通させている上記魚礁ブロックの製造方法としているので、貫通孔に太陽光が入り込みやすく、魚貝類の隠れ穴として有効である。
【００１９】
本発明によれば、金属パイプが、型枠に対して水平方向に貫通させ、パイプの形状が四角筒とした上記魚礁ブロックの製造方法としているので、あわびの隠れ穴として有効である。
【００２０】
本発明によれば、コンクリートを打設する際に、型枠内に砕石を混入させ、ブラッシングで、コンクリートの表面に当該砕石を露出させる上記魚礁ブロックの製造方法としているので、コンクリート表面に自然石が露出してより良い水中生物の育成環境を創出できる効果がある。
【００２１】
本発明によれば、コンクリートの打設は、上金網型枠内の途中の高さまでとし、上金網型枠内の上部に空間を設ける上記魚礁ブロックの製造方法としているので、上金網型枠の上部空間を水中生物の生育場とすることができる効果がある。
【００２２】
本発明によれば、コンクリート打設の際に、上金網型枠の上面開口部から棒状部材を挿入して、当該コンクリートが固まる前に棒状部材を引き抜いて縦穴を形成し、更にブラッシングを行う上記魚礁ブロックの製造方法としているので、上金網型枠内に形成された縦穴を水中生物の生育場とすることができる効果がある。
【発明を実施するための最良の形態】
【００２３】
本発明の実施の形態について図面を参照しながら説明する。
本発明の実施の形態に係る魚礁ブロックの製造方法は、箱状の下金網型枠１２とその上部に設けられた円筒状の上金網型枠１１とを有する型枠１０について、上金網型枠１１の上面開口部１４からコンクリートを打設し、当該コンクリートが固まる前に、当該コンクリートの表面を水で洗い流すブラッシングを行ってブロックを製造するものであり、表面を鉄等の金網で、コンクリートの表面はブラッシングで多くの凹凸形状を安価に容易に製造でき、コンクリートのアルカリ性を表面の鉄等の酸性が中和でき、水中生物の生育に適した環境を提供できるものである。
【００２４】
また、型枠１０には複数の金属パイプ１３を貫通させてあり、コンクリート打設の際に、砕石を混入して、ブラッシングでコンクリート表面に当該石が露出するようにしたものであり、更に、水中生物の生育に適した環境を提供できるものである。
【００２５】
［魚礁ブロックの概略］
本発明の実施の形態に係る魚礁ブロックについて図１〜４を参照しながら説明する。図１は、本発明の実施の形態に係る魚礁ブロックの型枠の概略図であり、図２は、型枠の上面説明図であり、図３は、下金網型枠の概略図であり、図４は、上金網型枠の概略図である。
【００２６】
［型枠の構成］
本発明の実施の形態に係る魚礁ブロックの型枠１０は、図１、図２に示すように、円筒状の上金網型枠１１と、上金網型枠１１の下部に設置される、ベースとなる箱状の下金網型枠１２とから基本的に構成され、型枠の金網に設けられた開口部に金属製の中空のパイプ１３を貫通させている。
【００２７】
また、型枠１０は、図２に示すように、円筒形の上面はコンクリートを打設するために開口され、開口部１４が設けられている。
【００２８】
また、型枠１０の下金網型枠１２は、図３に示すように、上金網型枠１１が設置される部分に円形の開口部１５が設けられ、上金網型枠１１の開口部１４から流し込まれたコンクリートを更に下金網型枠１２内に導くことができるようになっている。下金網型枠１２の一面には対向面に貫通するよう金属パイプ１３が設けられている。
尚、下金網型枠１２の底面は、金網でもよいが、本実施の形態では金属鉄板としている。
【００２９】
また、上金網型枠１１は、図４に示すように、円筒状であって金属パイプ１３が対向面に貫通するよう設けられている。そして、上面同様、下面も開口部を備える構成となっている。
【００３０】
尚、下金網型枠１２の開口部１５の径は、上金網型枠１１における底面の開口部の径より小さくしており、上金網型枠１１の底面の円周部分とそれが接する下金網型枠１２の上面部分とを溶接又は針金等で固定している。
【００３１】
パイプ１３の取り付け方法は、上金網型枠１１又は下金網型枠１２を形成する前にパイプ１３を挿入するための開口部を予め設け、型枠が組み立てられた後でパイプ１３を貫通させるようにしてもよいし、型枠が組み立てられた後に開口部を形成し、パイプ１３を貫通させてもよい。
【００３２】
尚、図１〜４では、金属パイプ１３は、上金網型枠１１及び下金網型枠１２において水平方向に貫通させるようになっているが、貫通させる開口部を、一方を高く、他方を低くして斜め方向に貫通させるようにしてもよい。このように、斜め方向から金属パイプ１３が貫通することにより、太陽光が貫通孔に入りやすくなり、魚貝類が生息しやすい環境を形成できる。
【００３３】
［魚礁ブロックの製造方法］
次に、本発明の実施の形態に係る魚礁ブロックの製造方法について図５〜８を参照しながら説明する。図５〜８は、魚礁ブロックの製造方法を示す概略図である。
図５に示すように、開口部１５が上を向くよう下金網型枠１２を地面上に配置し、次に、図６に示すように、下金網型枠１２の上に上金網型枠１１を設置し、接触部分を溶接等で固定する。
【００３４】
このように作成された型枠１０を海岸等の現場近辺に運び込み、現場にて図７に示すように、上金網型枠１１の開口部１４の上からコンクリートを打設（流し込み）上金網型枠１１の上面までコンクリートを充填する。
【００３５】
ここでは、コンクリートを上金網型枠１１の上面まで打設したが、上金網型枠１１の途中、半分程度までにコンクリートを打設して、上金網型枠１１の上側半分に空間を設けるようにしてもよい。この場合、下金網型枠１２から鉄筋を数本、上金網型枠１１の円筒形内部に設立させるようにして、当該数本の鉄筋がコンクリートから露出するようにすると、更に水中生物等の育成環境を形成できる。
【００３６】
次に、図８に示すように、打設後一定時間経過後であって、打設したコンクリートが完全に固まる前に、コンクリートの表面を水で洗い流す。洗い流す方法としては、ジェットウォーターでブラッシングする。これにより、コンクリートの表面に凹凸形状を形成できる。尚、ブラッシングは、型枠１０の側面だけでなく、開口部１４内のコンクリート面（天端）についても行い、天端（上面）にも凹凸形状を形成する。
【００３７】
その後、乾燥したならば、図９に示すように、海中に並べて配置する。図９は、本発明の実施の形態に係る魚礁ブロックを海中に配置した概略図である。
【００３８】
［その他］
型枠の金網は、ブラインドメタル、有孔鉄板であってもよい。
また、図７において、コンクリートを上金網型枠１１の上面まで打設する際に、上方向から木製、プラスチック製、紙製、若しくは金属製の円柱の棒状部材を差し込んでおき、コンクリートが完全に固まる前に抜き取り、上金網型枠１１内に縦方向に穴を形成するようにしてもよい。当該穴は、大きめのものが１つであってもよいし、小さいものが複数あってもよい。
【００３９】
例えば、あわびの養殖海域では、平面的な育成穴が必要とされているが、そのような場所では、ブロックに四角形パイプ（四角筒状のパイプ）を設置して、平面的なあわびの隠れ穴を形成することも可能である。
【００４０】
更に、使用するコンクリートに、直径５０ｍｍ程度の砕石を混入して型枠内に打設して、図８に示した表面をブラッシングすることにより、コンクリートの表面に自然石が露出し、より良い水中生物等の生育環境を作り出すことができる。
【００４１】
［発明の実施の形態の効果］
魚礁ブロックの表面が鉄（酸性）とコンクリート（アルカリ性）で構成された、凹凸形状を安価かつ容易に形成でき、更に中空のパイプ１３を貫通させることで、水中生物等の生息を容易にできる効果がある。
【００４２】
サンゴ、海中植物、魚貝類が生育する条件は、日光が届く（届かなくても生育可能な生物もいる）、胞子が着床できる、流速が遅い等の条件と共に、魚貝類が隠れることができる穴が必要である。更に、コンクリートのみではアルカリ性が強く生物が成育するまでには水中に設置してから長時間を要するが、本発明の実施の形態に係るブロックは、表面に鉄分（酸性）、ブラッシングによるコンクリート表面の洗い出しにより自然石を露出させることができるので、水中に優れた環境を創出することが可能である。
【００４３】
本ブロックを図９のように並べて海中に設置すれば、上記条件を満たし、海中植物の生育を促進し、サンゴ礁や、魚礁の復活を果たすことができる。
【００４４】
サンゴ礁の効果は、二酸化炭素の吸収（海が７５％を吸収すると言われている）、魚貝類の生育場と共に、津波の衝撃波を吸収して海岸の防災効果が高いとされている。
インドネシアの大津波でもサンゴ礁が健全な場所では津波の被害は小さく、サンゴ礁が破壊された海岸では大きな被害が出たと報告されている。
サンゴ礁が破壊される原因は、森林伐採による泥の流出による堆積、その他にサンゴ礁でダイナマイトを使用した漁法である。サンゴ礁の復活は世界的な問題で、良い方法がないと言われているので、本発明の実施の形態に係るブロックの効果が期待できる。
【産業上の利用可能性】
【００４５】
本発明は、水中生物等が生息しやすいブロックを安価かつ容易に製造できる魚礁ブロックの製造方法に好適である。
【図面の簡単な説明】
【００４６】
【図１】本発明の実施の形態に係る魚礁ブロックの型枠の概略図である。
【図２】型枠の上面説明図である。
【図３】下金網型枠の概略図である。
【図４】上金網型枠の概略図である。
【図５】魚礁ブロックの製造方法を示す概略図である。
【図６】魚礁ブロックの製造方法を示す概略図である。
【図７】魚礁ブロックの製造方法を示す概略図である。
【図８】魚礁ブロックの製造方法を示す概略図である。
【図９】本発明の実施の形態に係る魚礁ブロックを海中に配置した概略図である。
【符号の説明】
【００４７】
１０…型枠、  １１…上金網型枠、  １２…下金網型枠、  １３…金属パイプ、  １４…開口部、  １５…開口部
【図１】
2007169989.tif 000003
【図２】
2007169989.tif 000004
【図３】
2007169989.tif 000005
【図４】
2007169989.tif 000006
【図５】
2007169989.tif 000007
【図６】
2007169989.tif 000008
【図７】
2007169989.tif 000009
【図８】
2007169989.tif 000010
【図９】
2007169989.tif 000011